(57)【特許請求の範囲】
【請求項１】
留守時に着信したメッセージを録音し転送する電話機であって、
転送先を特定する情報を記憶する転送先記憶手段と、
他の電話機から位置登録の要求を自機の無線ゾーン内において受け付ける位置登録受付手段と、
前記要求を受けると前記他の電話機について位置登録を行なうと共に前記転送先として前記転送先記憶手段に前記他の電話機を登録する手段とを備えることを特徴とする電話機。
【請求項２】
留守時に着信したメッセージを録音し転送する第１の電話機において、第２の電話機を転送先として登録する方法であって、
前記第２の電話機が前記第１の電話機に対して第１の電話機の無線ゾーン内において位置登録を要求するステップと、
前記第１の電話機が前記第２の電話機についての位置登録を行なうと共に前記転送先として前記第２の電話機を登録するステップとを含むことを特徴とする方法。
【発明の詳細な説明】
【０００１】
【発明の属する技術分野】
本発明は、電話機に関し、特に、留守番電話における転送先登録の自動化技術に関わる。
【０００２】
【従来の技術】
従来のＰＨＳ電話機（移動局）は、屋外において公衆電話機として使用できるだけでなく、屋内においてＰＨＳ対応の親電話機（自営固定局）に子機登録（増設登録）を行っておくことで、コードレス電話機としても使用できる。
【０００３】
【発明が解決しようとする課題】
ところが、従来のＰＨＳ対応の親電話機は、留守中に着信した用件メッセージを録音した場合にはそのメッセージを他の電話機に転送する機能（ＰＨＳ留守番転送）を有するが、この機能を利用するためには予め親電話機に転送先の電話番号を正確に登録しておかなければならない。もし、誤った電話番号を転送先として登録してしまった場合には第３者に多大な迷惑をかけてしまう。
【０００４】
そこで、本発明はかかる問題点に鑑みてなされたものであり、ＰＨＳ電話機やＰＨＳ対応の電話機において、留守番転送に伴う電話番号等の登録作業や抹消作業を自動化することを目的とする。
具体的には、留守番転送のための転送先電話番号が自動的に登録される電話機を提供することを目的とする。
【０００５】
【課題を解決するための手段】
上記目的を達成するために、本発明は、  留守時に着信したメッセージを録音し転送する電話機であって、転送先を特定する情報を記憶する転送先記憶手段と、他の電話機から位置登録の要求を自機の無線ゾーン内において受け付ける位置登録受付手段と、前記要求を受けると前記他の電話機について位置登録を行なうと共に前記転送先として前記転送先記憶手段に前記他の電話機を登録する手段とを備えることとしている。
【０００６】
【発明の実施の形態】
以下、本発明の実施の形態について図面を用いて詳細に説明する。
図１は、本実施形態に係るＰＨＳシステムの構成を示す図である。
ＰＨＳシステム１０は、ＩＳＤＮ等の公衆通信網１１、加入者交換機１２ａ及び１２ｂ、屋外に設置された公衆基地局（ＣＳ）１３ａ〜１３ｃ、屋内に設置された自営基地局（ＣＳ）としての機能を有する親電話機１００及び移動局（ＰＳ）であるＰＨＳ電話機（ＰＳ）２００から構成される。これらシステム構成要素は、いずれもＰＨＳ規格（ＲＣＲ  ＳＴＤ−２８  第１版）で標準とされる機能を有するが、親電話機１００及びＰＨＳ電話機２００は、その機能に加えて本発明に特有の機能も備える。
【０００７】
いま、親電話機１００にはＰＨＳ電話機２００を子機とする登録（増設登録）が既になされているものとする。従って、ＰＨＳ電話機２００は、屋内モードでは親電話機１００を介してコードレス電話機として発着信し、屋外モードでは公衆基地局１３ａ〜１３ｃを介して公衆電話機として発着信するものとする。
図２は、親電話機１００の構成を示すブロック図である。
【０００８】
親電話機１００は、自営用の基地局に本発明に特有の機能を付加した屋内設置型の主電話機であり、高周波部１０１、モデム部１０２、ＴＤＭＡ／ＴＤＤ部１０３、音声処理部１０４、回線制御部１０５、表示部１０６、入力部１０７、制御部１０８、録音再生部１０９及び不揮発メモリ部１１０から構成される。
高周波部１０１、モデム部１０２及びＴＤＭＡ／ＴＤＤ部１０３は、自営用周波数帯域において１／４πシフトＱＰＳＫによる変復調とＴＤＭＡ／ＴＤＤによる多重化及びアクセス制御を行う送受信部である。
【０００９】
音声処理部１０４は、チャネルコーダ・デコーダ、ＡＤＰＣＭ、スピーカ・マイク等からなり、音声とデジタル信号とを相互に変換する。
回線制御部１０５は、フック制御回路等からなり、この親電話機１００と公衆通信網１１との接続を制御する。
表示部１０６はＬＣＤ等からなり、入力部１０７はキーパッド等からなる。
【００１０】
制御部１０８は、制御ＲＯＭ１０８ｂに格納された制御プログラムに従って実行するＣＰＵ１０８ａ等からなり、ＰＨＳ規格での各種機能チャネルを生成・解読することでレイヤ１〜３の標準とされるプロトコルに従って各構成要素１０２〜１１０を制御する。具体的には、通常の自営基地局が備える機能（発着信、留守番・転送機能、子機管理等）の他に、本発明に固有の制御（後述する留守番転送に伴う付加的な制御）も行う。
【００１１】
録音再生部１０９は、留守着信した場合に再生する応答メッセージを予め吹き込んでおいたり、発信者からの用件メッセージを録音するためのＩＣメモリや磁気テープ装置等である。
不揮発メモリ部１１０は、各種パラメータを記憶する不揮発のＲＡＭ等からなり、大きく３つの記憶領域（位置登録情報記憶部１１１、留守録転送先記憶部１１２及び自己識別情報記憶部１１３）を有する。
【００１２】
位置登録情報記憶部１１１は、この親電話機１００を親機（基地局）とする子機（移動局）を登録しておくための記憶領域であり、さらに、自営エリア番号記憶部１１１ａと子機識別情報記憶部１１１ｂからなる。
自営エリア番号記憶部１１１ａは、１つの自営エリア番号を記憶する。ここで、「エリア番号」とは、様々な場所に移動する移動局の位置を特定するために基地局に予め与えられる位置登録ゾーンの番号である。基地局は常時このエリア番号を無線ゾーンに一斉発信しておくことで、そのエリア番号を受信した移動局は自己が位置する位置登録ゾーンを知り、もし既に記憶していたエリア番号と一致しない場合にはそれまでとは異なる位置登録ゾーンに自己が移動したと判断し、位置登録を開始すると共に新たなエリア番号を記憶する。「自営エリア番号」は、そのような「エリア番号」のうち、屋内に設置される自営用基地局が有するエリア番号であり、親子関係を形成する（子機登録）ために用いられる。
【００１３】
子機識別情報記憶部１１１ｂは、この親電話機１００を親機とする子機の識別情報（ＰＳ−ＩＤ）を最大１６個まで記憶する。親電話機１００は、この子機識別情報記憶部１１１ｂに登録された子機のみに対してリンクチャネルを確立して発着信を許可し、この子機識別情報記憶部１１１ｂに登録されていない子機に対してはリンクチャネルの確立を拒否する。
【００１４】
留守録転送先記憶部１１２は、録音再生部１０９に録音された用件メッセージの転送先となる１つの電話番号を記憶する。この電話番号は、制御部１０８が留守着信した用件メッセージを録音再生部１０９に録音し終えた後に、この電話番号に自動発信し用件メッセージを再生して伝えるというＰＨＳ留守番転送のために用いられる。
【００１５】
自己識別情報記憶部１１３は、この親電話機１００をユニークに特定する情報を記憶する領域であり、さらに、自回線電話番号記憶部１１３ａとＣＳ−ＩＤ記憶部１１３ｂからなる。
自回線電話番号記憶部１１３ａは、親電話機１００の自回線電話番号を記憶する。
【００１６】
ＣＳ−ＩＤ記憶部１１３ｂは、この親電話機１００を基地局（ＣＳ）として物理的にユニークに識別するための番号であるＣＳ−ＩＤを記憶する。
図３は、ＰＨＳ電話機２００の構成を示すブロック図である。
ＰＨＳ電話機２００は、移動局（ＰＳ）に本発明に特有の機能を付加した携帯型無線電話機であり、高周波部２０１、モデム部２０２、ＴＤＭＡ／ＴＤＤ部２０３、音声処理部２０４、表示部２０６、入力部２０７、制御部２０８及び不揮発メモリ部２１０から構成される。
【００１７】
ＰＨＳ電話機２００は、親電話機１００の回線制御部１０５及び録音再生部１０９に相当する構成要素は備えていないが、高周波部２０１、モデム部２０２、ＴＤＭＡ／ＴＤＤ部２０３、音声処理部２０４、表示部２０６及び入力部２０７については、親電話機１００のものと基本的な機能は同一である。但し、ＰＨＳ電話機２００は、８個に時分割されたタイムスロットのうち割り当てられた２個（上り及び下りスロット）を用いて親電話機１００と通信する。
【００１８】
制御部２０８は、制御ＲＯＭ２０８ｂに格納された制御プログラムに従って実行するＣＰＵ２０８ａ等からなり、ＰＨＳ規格での各種機能チャネルを生成・解読することでレイヤ１〜３の標準とされるプロトコルに従って各構成要素２０２〜２１０を制御する。具体的には、通常の移動局が備える機能（発着信、位置登録等）の他に、本発明に固有の制御（後述する位置登録に伴う付加的な制御）も行う。
【００１９】
不揮発メモリ部２１０は、各種パラメータを記憶する不揮発のＲＡＭ等からなり、大きく２つの記憶領域（位置登録情報記憶部２１１及び自己識別情報記憶部２１３）を有する。
位置登録情報記憶部２１１は、親電話機１００の位置登録情報記憶部１１１に対応するもので、このＰＨＳ電話機２００を子機（移動局）とする親機（基地局）を登録しておくための記憶領域であり、さらに、自営エリア番号記憶部２１１ａと親機識別情報記憶部２１１ｂからなる。
【００２０】
自営エリア番号記憶部２１１ａは、１つの自営エリア番号を記憶する。ＰＨＳ電話機２００は、基地局から一斉発信されているエリア番号とこの自営エリア番号記憶部２１１ａに記憶しているエリア番号とが一致するか否かを電源投入時やその後において常に判断し、その結果一致しない場合にはそれまでとは異なる位置登録ゾーンに自己が移動したと判断し、位置登録を開始すると共に新たなエリア番号を記憶する。
【００２１】
親機識別情報記憶部２１１ｂは、このＰＨＳ電話機２００を子機とする親機の識別情報（ＣＳ−ＩＤ）を１個記憶する。ＰＨＳ電話機２００は、この親機識別情報記憶部２１１ｂに登録された親機に対してリンクチャネルを確立し発着信する。
自己識別情報記憶部２１３は、このＰＨＳ電話機２００をユニークに特定する情報を記憶する領域であり、さらに、公衆ＰＳ番号記憶部２１３ａ、自営ＰＳ番号記憶部２１３ｂ及びＰＳ−ＩＤ記憶部２１３ｃからなる。
【００２２】
公衆ＰＳ番号記憶部２１３ａは、ＰＨＳ電話機２００の加入者電話番号を記憶する。
自営ＰＳ番号記憶部２１３ｂは、親電話機１００を親機とする複数の子機から１台の子機を特定するための内線番号に相当する自営ＰＳ番号を記憶する。
ＰＳ−ＩＤ記憶部２１３ｃは、このＰＨＳ電話機２００を移動局（ＰＳ）として理的にユニークに識別するための番号であるＰＳ−ＩＤを記憶する。
【００２３】
以上のように構成された本発明に係る親電話機１００及びＰＨＳ電話機２００の動作について、子機（ＰＨＳ電話機２００）における親機登録が自動的に抹消される場合と親機（親電話機１００）における留守番転送の転送先が自動的に登録される場合の２つに分けて説明する。
なお、親電話機１００及びＰＨＳ電話機２００の不揮発メモリ部１１０及び２１０の初期値は図４（ａ）及び図４（ｂ）に示される通りとする。
【００２４】
図４（ａ）は親電話機１００の不揮発メモリ部１１０の初期値を示し、図４（ｂ）はＰＨＳ電話機２００の不揮発メモリ部２１０の初期値を示す。
図４（ａ）に示された初期値から判るように、親電話機１００の自営エリア番号記憶部１１１ａには自営エリア番号「ａｒ１２」が記憶され、子機識別情報記憶部１１１ｂにはＰＨＳ電話機２００のＰＳ−ＩＤ「ｐｓ９８］が記憶され、留守録転送先記憶部１１２には転送先電話番号は記憶されておらず、自回線電話番号記憶部１１３ａには自回線電話番号「061234567」が記憶され、ＣＳ−ＩＤ記憶部１１３ｂにはＣＳ−ＩＤ「ｃｓ１２」が記憶されているとする。
【００２５】
図４（ｂ）に示された初期値から判るように、ＰＨＳ電話機２００の自営エリア番号記憶部２１１ａには親電話機１００と同じ自営エリア番号「ａｒ１２」が記憶され、親機識別情報記憶部２１１ｂには親電話機１００のＣＳ−ＩＤ「ｃｓ１２」が記憶され、公衆ＰＳ番号記憶部２１３ａには公衆ＰＳ番号「05098765432」が記憶され、自営ＰＳ番号記憶部２１３ｂには自営ＰＳ番号「ｅｘ９８」が記憶され、ＰＳ−ＩＤ記憶部２１３ｃにはＰＳ−ＩＤ「ｐｓ９８」が記憶されているとする。
［親機登録の自動抹消］
まず、親機（親電話機１００）での子機登録を抹消した場合に、子機（ＰＨＳ電話機２００）での親機登録が自動的に抹消される動作を説明する。
【００２６】
図５は、その動作を示す通信シーケンス図である。
図４（ａ）及び図４（ｂ）に示される親電話機１００及びＰＨＳ電話機２００の位置登録情報記憶部１１１及び２１１の初期値から判るように、これら電話機１００及び２００間においては既に子機登録（増設登録）が行われ、親子関係が形成されている。
【００２７】
従って、親電話機１００から自営エリア番号「ａｒ１２」を伴った一斉呼出信号を受信したＰＨＳ電話機２００は、その自営エリア番号と自己が自営エリア番号記憶部２１１ａに記憶している自営エリア番号「ａｒ１２」とを比較することで、それらが一致していることを知るので、自己の現在位置は変動していないと認識する（ステップＳ５０〜Ｓ５１）。なお、「ＣＣＨ」はＰＨＳ規格における機能チャネルの一つである制御チャネルを示す。
【００２８】
次に、操作者が親電話機１００での子機（ＰＨＳ電話機２００）登録を全て抹消したとする（ステップＳ５２〜Ｓ５３）。つまり、制御部１０８は、入力部１０７を介して操作者の指示を獲得し、子機識別情報記憶部１１１ｂの内容「ｐｓ９８」を消去する。このとき、制御部１０８は、続いて表示部２０６に自営エリア番号の入力を促すメッセージを表示することで、入力部２０７から新たな自営エリア番号（例えば、「ａｒ３４」）を獲得し、自営エリア番号記憶部１１１ａの内容を「ａｒ１２」から「ａｒ３４」に更新する（ステップＳ５４）。
【００２９】
従って、これ以降は、親電話機１００は自己の無線ゾーンに新たな自営エリア番号「ａｒ３４」を伴った一斉呼出信号を発信する（ステップＳ５５）。
その結果、新たな自営エリア番号「ａｒ３４」を受信したＰＨＳ電話機２００は、自己が記憶する自営エリア番号「ａｒ１２」と一致しないことを知り、新たな位置登録ゾーンに移動したときと同じ手順で親電話機１００に対して位置登録を開始する（ステップＳ５６〜Ｓ５８）。
【００３０】
ところが、親電話機１００の子機識別情報記憶部１１１ｂではＰＨＳ電話機２００のＰＳ−ＩＤ「ｐｓ９８」が消去されているために、親電話機１００は、ＰＨＳ電話機２００からの位置登録を拒否すると共に、子機登録されていないＰＨＳ電話機からの位置登録である旨の拒否理由を通知する（ステップＳ５９〜Ｓ６０）。
【００３１】
位置登録を拒否されたＰＨＳ電話機２００は、上記理由を参照することで、親電話機１００において自己を子機とする登録が抹消されたと判断し（ステップＳ６１）、その親機登録を抹消する（ステップＳ６２）。つまり、制御部２０８は、親機識別情報記憶部２１１ｂの記憶内容「ｃｓ１２」を消去する。
このように、親機での子機登録が抹消されると、子機から新たな位置登録を開始させることで、子機におけるその親機の登録は自動的に抹消される。
［留守録転送先の自動登録］
次に、親機（親電話機１００）において留守番転送の転送先（ＰＨＳ電話機２００）が自動的に登録される動作を説明する。
【００３２】
図６は、その動作を示す通信シーケンス図である。
まず、操作者は、ＰＨＳ電話機２００に位置登録を起動させるための準備をする（ステップＳ７０〜Ｓ７３）。例えば、親電話機１００と共にＰＨＳ電話機２００を購入した場合には、両電話機１００及び２００の不揮発メモリ部１１０及び２１０の記憶内容は図４（ａ）及び図４（ｂ）に示される通りになっているが、ＰＨＳ電話機２００における自営エリア番号記憶部２１１ａの内容を消去しておく（ステップＳ７２）。
【００３３】
その後、親電話機１００の無線ゾーン内においてＰＨＳ電話機２００の電源を投入すると（ステップＳ７４）、ＰＨＳ電話機２００は、親電話機１００から発信された自営エリア番号「ａｒ１２」と自己が記憶する自営エリア番号「ｎｏｎｅ」（未登録状態）とが一致しないことを知り（ステップＳ７６）、新たな位置登録ゾーンに移動したときと同じ手順で親電話機１００に対して位置登録を行なう（ステップＳ７７〜Ｓ８６）。この位置登録は、親電話機１００の子機識別情報記憶部１１１ｂに登録された移動局（ＰＳ−ＩＤ「ｐｓ９８」）からの位置登録であるために、正常に終了する。
【００３４】
なお、ここでの位置登録の制御シーケンス（ステップＳ７８〜Ｓ８６）は、上記規格における公衆基地局と移動局との位置登録時と同じである。但し、ＰＨＳ電話機２００は、ＭＭ（移動管理）位置登録要求に伴う要求メッセージ中に公衆ＰＳ番号記憶部２１３ａの内容「05098765432」を含ませて親電話機１００に通知する（ステップＳ８４）。
【００３５】
位置登録が正常に終了すると、親電話機１００は、位置登録シーケンスにおいて獲得したＰＨＳ電話機２００の公衆ＰＳ番号を留守録転送先記憶部１１２に書き込む（ステップＳ８７）。具体的には、制御部１０８は、上記位置登録要求メッセージにおいて獲得した公衆ＰＳ番号「05098765432」を留守録転送先記憶部１１２に格納する。
【００３６】
これにより、この親電話機１００において留守中に録音された用件メッセージはＰＨＳ電話機２００に転送される。
このように、親子関係にある親機と子機において、子機から新たな位置登録を開始させることで、親機の留守番転送の転送先としてその子機の電話番号が自動的に登録される。
【００３７】
なお、本実施形態では、親電話機１００は留守番転送の転送先を自動的に登録する機能を有し、ＰＨＳ電話機２００は親機登録を自動的に抹消する機能を有したが、本発明は、このような機能を有する親電話機１００とＰＨＳ電話機２００との組み合わせに限定されるものではなく、一方の電話機は通常のものであればよい。
【００３８】
例えば、本実施形態に係るＰＨＳ電話機２００と通常の親電話機の組み合わせであってもＰＨＳ電話機２００における親機登録の自動抹消は実現され、一方、本実施形態に係る親電話機１００と通常のＰＨＳ電話機の組み合わせであっても親電話機１００における留守録転送先の自動登録は実現されるのは言うまでもない。
【００３９】
また、図６における制御シーケンス（ステップＳ８４）において、ＰＨＳ電話機２００から親電話機１００に自営ＰＳ番号を通知しているが、親電話機１００はこの自営ＰＳ番号によって登録可否を判断してもよい。これによって、複数の子機が登録されている場合における留守録音の転送先を管理することもできる。また、本実施形態では、子機識別情報記憶部１１１ｂは最大１６個のＰＳ−ＩＤ記憶し、親機識別情報記憶部２１１ｂは１個のＣＳ−ＩＤを記憶したが、本発明はこれら個数に限定されないのは言うまでもない。
【００４０】
【発明の効果】
以上の説明から明らかなように、本発明は、留守時に着信したメッセージを録音し転送する電話機であって、転送先を特定する情報を記憶する転送先記憶手段と、他の電話機から位置登録の要求を自機の無線ゾーン内において受け付ける位置登録受付手段と、前記要求を受けると前記他の電話機について位置登録を行なうと共に前記転送先として前記転送先記憶手段に前記他の電話機を登録する手段とを備えることを特徴とする。
また、留守時に着信したメッセージを録音し転送する第１の電話機において、第２の電話機を転送先として登録する方法であって、前記第２の電話機が前記第１の電話機に対して第１の電話機の無線ゾーン内において位置登録を要求するステップと、前記第１の電話機が前記第２の電話機についての位置登録を行なうと共に前記転送先として前記第２の電話機を登録するステップとを含むことを特徴とする。
【００４１】
これによって、子機からの位置登録が成功した場合に、その位置登録に伴って、その子機は親機における留守録メッセージの転送先として登録されるので、親機における転送先登録は自動化される。
このように、本発明によって、ＰＨＳ電話機やＰＨＳ対応の電話機における留守番転送に伴う電話番号等の登録作業や抹消作業が自動化されると共に誤った登録も回避されるので、特に、新たな親子電話機セットを導入したときや親子電話機セットの一部を買い替えたときの設置作業は簡略化され、その実用的効果は大きい。
【図面の簡単な説明】
【図１】本発明の電話機が属するＰＨＳシステムの構成を示す図である。
【図２】親電話機１００の構成を示すブロック図である。
【図３】ＰＨＳ電話機２００の構成を示すブロック図である。
【図４】図４（ａ）は親電話機１００の不揮発メモリ部１１０の記憶内容（初期値）を示し、図４（ｂ）はＰＨＳ電話機２００の不揮発メモリ部２１０の記憶内容（初期値）を示す。
【図５】子機（ＰＨＳ電話機２００）において親機登録が自動的に抹消される動作を示す通信シーケンス図である。
【図６】親機（親電話機１００）において留守番転送の転送先が自動的に登録される動作を示す通信シーケンス図である。
【符号の説明】
１０    ＰＨＳシステム
１１    公衆通信網
１２ａ  加入者交換機
１３ａ〜１３ｃ  公衆基地局
１００    親電話機
１０１、２０１    高周波部
１０２、２０２    モデム部
１０３、２０３    ＴＤＭＡ／ＴＤＤ部
１０４、２０４    音声処理部
１０５    回線制御部
１０６、２０６    表示部
１０７、２０７    入力部
１０８、２０８    制御部
１０８ａ、２０８ａ  ＣＰＵ
１０８ｂ、２０８ｂ  制御ＲＯＭ
１０９    録音再生部
１１０    不揮発メモリ部
１１１    位置登録情報記憶部
１１１ａ  自営エリア番号記憶部
１１１ｂ  子機識別情報記憶部
１１２    留守録転送先記憶部
１１３    自己識別情報記憶部
１１３ａ  自回線電話番号記憶部
１１３ｂ  ＣＳ−ＩＤ記憶部
２００    ＰＨＳ電話機
２１０    不揮発メモリ部
２１１    位置登録情報記憶部
２１１ａ  自営エリア番号記憶部
２１１ｂ  親機識別情報記憶部
２１３    自己識別情報記憶部
２１３ａ  公衆ＰＳ番号記憶部
２１３ｂ  自営ＰＳ番号記憶部
２１３ｃ  ＰＳ−ＩＤ記憶部
【図１】
0003802369.tif 000002
【図２】
0003802369.tif 000003
【図３】
0003802369.tif 000004
【図４】
0003802369.tif 000005
【図５】
0003802369.tif 000006
【図６】
0003802369.tif 000007